(57)【要約】【課題】ドアの内側にいる者がドアを解錠した後、必要時にドアの内側からドアを瞬時に開閉不能にロックすることにより、他人が意に反してドアの内側に侵入することを防止する。【解決手段】ドア（１１）と開口部枠（１３）との一方にドアクローザー本体（１５）を取り付け、該ドアクローザー本体はオイルダンパー（１７）を備え、該オイルダンパーのピストンロッド（１９）をドアと開口部枠との他方に関連させ、該オイルダンパーは調整ねじ（２１）を回転させることによりドアの開閉速度を調整し又はドアを開閉不能にロックするようにした調整手段を備え、調整ねじをドアクローザー本体の一端に配設する。調整ねじに回転伝達ケーブル（２３）の先端部（２３ａ）を接続し、回転伝達ケーブルの基端部（２３ｂ）を開口部枠の内側における人が操作し易い位置に配設し、該基端部に回転操作部（２５）を備えさせる。【選択図】図１
2005320812.tif 000002
【特許請求の範囲】
【請求項１】
ドアと該ドアが取り付けられている開口部枠とのいずれか一方にドアクローザー本体を取り付け、該ドアクローザー本体はオイルダンパーを備え、該オイルダンパーのピストンロッドをドアと該ドアが取り付けられている開口部枠との他方に関連させ、更に該オイルダンパーは調整ねじを回転させることによりドアの開閉速度を調整し又はドアを開閉不能にロックするようにした調整手段を備え、該調整ねじをドアクローザー本体の一端に配設したドアクローザーにおいて、
前記調整ねじに回転伝達ケーブルの先端部を接続し、該回転伝達ケーブルの基端部を前記開口部枠の内側における人が操作し易い位置に配設し、該基端部に回転操作部を備えさせたことを特徴とするドアクローザー。
【請求項２】
前記オイルダンパーのピストンロッドにラックと戻しばねとを備えさせ、該ラックにピニオンを噛合させ、該ピニオンの軸にワイヤドラムを取り付け、該ワイヤドラムに巻き付けたワイヤの先端をドアと該ドアが取り付けられている開口部枠との前記他方に連結したことを特徴とする請求項１に記載のドアクローザー。
【請求項３】
前記回転伝達ケーブルは既設のドアクローザーにおける調整ねじに後付けすることを特徴とする請求項１に記載のドアクローザー。
【発明の詳細な説明】
【技術分野】
【０００１】
本発明は、ドアクローザーに関するものであり、特に、ドアの内側にいる者がドアを解錠した瞬間、或いはドアを解錠すると共にドアチェーンを外した瞬間に、ドアが外側から急速に開放され、ドアの内側に侵入されるという問題を解消したドアクローザーに係るものである。
【背景技術】
【０００２】
ドアクローザーは、従来より、出入口のドアに取り付けられている。ドアクローザーは、ドアが開けられた後、ドアが閉まる速度を調整してドアを低速で安全に閉めるようにしたものである。
【０００３】
特開２００３−１９３７４０号公報は、オイルダンパーを用いたドアクローザーを開示している。このドアクローザーは、ドアと該ドアが取り付けられている開口部枠とのいずれか一方にオイルダンパーの本体側を取り付け、他方にオイルダンパーのピストンロッド側を連結している。
【０００４】
一般に、ドアクローザーは、図７に示すように、オイルダンパーを備えたドアクローザー本体1をドア３に取り付け、該オイルダンパーのピストンロッドにラックを備えさせ、該ラックをピニオンに噛合させ、該ピニオンの軸５をリンク７の一端７ａに連結し、該リンク７の他端７ｂを開口部枠９に連結している。また、ドアクローザーはドアの開閉速度を調整し又はドアを開閉不能にロックするための調整手段の調整ねじをドアクローザー本体１の一端１ａに備えている。
【０００５】
所定の部材を遠隔操作により回転させるための回転伝達ケーブルは、特開平５−６５９１５号公報により開示されている。
【特許文献１】特開２００３−１９３７４０号公報
【特許文献２】特開平５−６５９１５号公報
【発明の開示】
【発明が解決しようとする課題】
【０００６】
上記従来のドアクローザーは、上記調整手段の調整ねじをドアクローザー本体の一端に備えているが、この調整ねじはスクリュードライバーにより回転させるようにしたものである。従って、ドアを解錠した後、ドアが開く速度を該調整手段により瞬時に調整し又はドアを該調整手段により瞬時に開閉不能にロックさせることはできない。換言すれば、上記従来のドアクローザーにおいては、ドアの内側にいる者がドアを解錠した瞬間にドアが外側から急速に開放され、ドアの内側に侵入されるおそれがある。他人が意に反してドアの内側に侵入した場合には、ドアの内側にいる者は、強盗その他の犯罪の被害に遭うおそれがある。
【０００７】
本発明は、ドアの内側にいる者がドアを解錠した後、必要に応じてドアの内側からドアを瞬時に開閉不能にロックすることにより、他人が意に反してドアの内側に侵入することを防止するようにしたドアクローザーを提供しようとしてなされたものである。
【課題を解決するための手段】
【０００８】
上記課題を解決するために、本発明は下記のドアクローザーを提供する。
【０００９】
（１）ドアと該ドアが取り付けられている開口部枠とのいずれか一方にドアクローザー本体を取り付け、該ドアクローザー本体はオイルダンパーを備え、該オイルダンパーのピストンロッドをドアと該ドアが取り付けられている開口部枠との他方に関連させ、更に該オイルダンパーは調整ねじを回転させることによりドアの開閉速度を調整し又はドアを開閉不能にロックするようにした調整手段を備え、該調整ねじをドアクローザー本体の一端に配設したドアクローザーにおいて、
前記調整ねじに回転伝達ケーブルの先端部を接続し、該回転伝達ケーブルの基端部を前記開口部枠の内側における人が操作し易い位置に配設し、該基端部に回転操作部を備えさせたことを特徴とするドアクローザー（請求項１）。
【００１０】
（２）前記オイルダンパーのピストンロッドにラックと戻しばねとを備えさせ、該ラックにピニオンを噛合させ、該ピニオンの軸にワイヤドラムを取り付け、該ワイヤドラムに巻き付けたワイヤの先端をドアと該ドアが取り付けられている開口部枠との前記他方に連結する（請求項２）。
【００１１】
（３）前記回転伝達ケーブルは既設のドアクローザーにおける調整ねじに後付けすることもできる（請求項３）。
【００１２】
［発明の作用］
［請求項１の発明］
回転伝達ケーブルの基端部にある回転操作部を操作してオイルダンパーの調整ねじを回転させることにより、常時、ドアの開く速度が極めて低くなるように調整しておく。
【００１３】
ドアの内側にいる者（以下「本人」という。）がドアの外側にいる者（以下「他人」という。）を感知し、ドアを解錠した時には、他人はドアを開こうとするが、ドアの開く速度は極めて低い。
【００１４】
ドアが若干開いた時に、本人が他人をドアの内側に入れたくないと判断した場合には、本人は、開口部枠の内側における人が操作し易い位置に配設されている回転伝達ケーブルの回転操作部を直ちに操作してオイルダンパーの調整ねじを回転させることにより、ドアを瞬時に開閉不能にロックし、ドアがそれ以上に開かないようにする。その結果、他人はドアの内側に入ることができなくなる。
【００１５】
この状態で、本人は直ちに警察官その他の者に連絡し、救助を求める。
【００１６】
一方、ドアが若干開いた時に、本人が他人をドアの内側に入れてよいと判断した場合には、本人は回転伝達ケーブルの回転操作部を操作してオイルダンパーの調整ねじを回転させることにより、ドアが急速に開くようにする。その結果、他人はドアを容易に開いてドアの内側に入ることができる。
【００１７】
［請求項２の発明］
他人がドアを開こうとすると、ワイヤがワイヤドラムから繰り出される方向に引かれる。従って、ワイヤドラムがピニオンと共に回転し、ピニオンに噛合しているラックがピストンロッドをオイルダンパー内に押し込む方向に移動すると共に戻しばねを圧縮する。図１参照。
【００１８】
回転伝達ケーブルの回転操作部を操作してオイルダンパーの調整ねじを回転させることにより、（イ）ピストンロッドがオイルダンパー内に押し込まれる速度、即ちドアの開く速度、を調整し、又は（ロ）ピストンロッドがオイルダンパー内に押し込まれないようにピストンロッドを停止させる、即ちドアを開閉不能にロックすることができる。
【００１９】
戻しばねは、常時ピストンロッドをオイルダンパーから離れる方向に付勢する。即ち、ドアが閉まる際には、戻しばねは、オイルダンパーの力に抗してピストンロッドとラックとをオイルダンパーから離れる方向に動かし、該ラックに噛合しているピニオンはワイヤドラムと共に前記と反対の方向に回転し、該ワイヤドラムはワイヤを巻きこむ。従って、ドアは閉じる。
【００２０】
その他の点においては、請求項２の発明は前記請求項１の発明と同様の作用を有する。
【００２１】
［請求項３の発明］
回転伝達ケーブルを既設のドアクローザーにおける調整ねじに後付けするようにしたため、請求項３の発明は極めて低コストで実施することができる。
【００２２】
その他の点においては、請求項３の発明は前記請求項１の発明と同様の作用を有する。
【発明の効果】
【００２３】
以上説明したように、本発明によれば、ドアの内側にいる者がドアを解錠した後、ドアの外側にいる他人の侵入を阻止したいと判断した場合には、開口部枠の内側における人が操作し易い位置に配設されている回転伝達ケーブルの回転操作部を直ちに操作してオイルダンパーの調整ねじを回転させることにより、ドアを瞬時に開閉不能にロックし、ドアがそれ以上に開かないようになし、以て他人が意に反してドアの内側に侵入することを防止することができる。換言すれば、本発明によれば、他人が意に反してドアの内側に侵入することを防止することにより、ドアの内側にいる者を強盗その他の犯罪から守ることができる。
【発明を実施するための最良の形態】
【００２４】
本発明のドアクローザーは、下記の点においては、従来のドアクローザーと共通している。
【００２５】
即ち、本発明のドアクローザーは、従来のドアクローザーと同様に、ドア１１と該ドア１１が取り付けられている開口部枠１３とのいずれか一方にドアクローザー本体１５を取り付け、該ドアクローザー本体１５はオイルダンパー１７を備え、該オイルダンパー１７のピストンロッド１９をドア１１と該ドア１１が取り付けられている開口部枠１３との他方に関連させ、更に該オイルダンパー１７は調整ねじ２１を回転させることによりドア１１の開閉速度を調整し又はドア１１を開閉不能にロックするようにした調整手段を備え、該調整ねじ２１をドアクローザー本体１５の一端に配設している。
【００２６】
しかして、本発明においては、前記調整ねじ２１に回転伝達ケーブル２３の先端部２３ａを接続し、該回転伝達ケーブル２３の基端部２３ｂを前記開口部枠１３の内側における人が操作し易い位置に配設し、該基端部２３ｂに回転操作部２５を備えさせている。
【００２７】
回転伝達ケーブル２３は、一例として、可撓性スリーブ内に多重コイルばねを挿通させてなるものを使用する。該多重コイルばねは、それぞればね性のある金属線材を巻回した内側コイルばねと外側コイルばねとよりなり、内側コイルばねは外側コイルばねと反対方向に巻回されている。
【００２８】
符号２７に示すものは、回転伝達ケーブル２３の基端部２３ｂを保持する保持手段である。符号２９に示すものは、ドア１１を開閉自在に支承するドアヒンジである。
【００２９】
図１〜図３に示す事例について説明する。
【００３０】
前記オイルダンパー１７のピストンロッド１９にラック３１と戻しばね３３とを備えさせ、該ラック３１にピニオン３５を噛合させ、該ピニオン３５の軸３７にワイヤドラム３９を取り付け、該ワイヤドラム３９に巻き付けたワイヤ４１の先端４１ａを取付手段４３を介してドア１１と該ドア１１が取り付けられている開口部枠１３との前記他方に連結する。
【００３１】
ラック３１としては、一例として、丸ラックが使用されている。符号４５に示すものは戻しばね３３のエンドプレートである。
【００３２】
図４に示す事例においては、前記回転伝達ケーブル２３は図７に示す既設のドアクローザーにおける調整ねじ２１に後付けされている。
【００３３】
図５、図６はオイルダンパー１７の一例を示すものであり、以下、このオイルダンパー１７について説明する。
【００３４】
ボディシリンダ５１内に内側シリンダ５３を配設し、前記ピストンロッド１９のピストンヘッド５５を該内側シリンダ５３内に摺嵌する。内側シリンダ５３内における内側シリンダ端構成部材５７とピストンヘッド５５との間に復帰用ばね５９を取り付ける。符号６１に示すものは、ピストンロッド１９を支承する軸受である。
【００３５】
ボディシリンダ５１の内面と内側シリンダ５３の外面との間に隙間６３を形成させる。内側シリンダ５３の内部６５におけるピストンヘッド５５前方の前部６５ａ（内側シリンダ５３の内部６５における復帰用ばね５９が取り付けられている部分）と該隙間６３とを、ピストンヘッド５５を貫通する第一通路６７と内側シリンダ５３を貫通する第二通路６９とを介して、連通させる。第一通路６７は、内側シリンダ５３の内部６５におけるピストンヘッド５５前方の前部６５ａと内側シリンダ５３の内部６５におけるピストンヘッド５５後方の後部６５ｂとを連通させる。第二通路６９は、隙間６３と内側シリンダ５３の内部６５における後部６５ｂとを連通させる。第一通路６７内にチェックボール７１を移動自在に配設する。
【００３６】
オイルダンパー１７は調整ねじ２１を回転させることによりドア１１の開閉速度を調整し又はドア１１を開閉不能にロックするようにした調整手段を備えている。即ち、内側シリンダ端構成部材５７には内側シリンダ５３の内部６５からボディシリンダ５１の外部に通ずる透孔７３を備えさせ、該透孔７３には雌ねじ７５を形成し、該雌ねじ７５には調整ねじ２１の雄ねじ部７７を螺合させる。雄ねじ部７７の内側端には調整ボール７９を連結する。調整ボール７９は透孔７３内に位置する。
【００３７】
透孔７３と前記隙間６３とを第三通路８１を介して連通させる。
【００３８】
前記隙間６３内にはスポンジ等のフォームアキュムレーター８３を配設する。
【００３９】
内側シリンダ５３の内部６５と隙間６３とにはオイルが満たされている。
【００４０】
ドア１１が閉じているときには、オイルダンパー１７は図５に示す状態にある。この状態からドア１１が開かれると、ピストンロッド１９はオイルダンパー１７内に押し込まれ、ピストンヘッド５５は復帰用ばね５９を圧縮しつつ内側シリンダ５３内を内側シリンダ端構成部材５７に接近する方向に進む。ピストンヘッド５５がこの方向に動き始めると、チェックボール７１は第一通路６７を閉塞する。すると、内側シリンダ５３の内部６５における前部６５ａのオイルは透孔７３と第三通路８１とを通って隙間６３内に流入する。隙間６３内に流入したオイルの一部は第二通路６９を通って内側シリンダ５３の内部６５における後部６５ｂ内に入るが、該後部６５ｂがオイルにより満たされると、隙間６３内のオイルはフォームアキュムレーター８３を圧縮する。フォームアキュムレーター８３は、内側シリンダ５３の内部６５に押し込まれたピストンロッド１９の体積に応じて圧縮される。図６参照。
【００４１】
ドア１１を開く力が解除されると、復帰用ばね５９は、上記戻しばね３３と共に、ピストンロッド１９を前記と反対の方向に戻す。ピストンロッド１９が前記と反対の方向に動き始めると、第一通路６７内のチェックボール７１は第一通路６７を開く方向に移動し、内側シリンダ５３の内部６５における後部６５ｂ内のオイルは第一通路６７を通って内側シリンダ５３の内部６５における前部６５ａ内に流入する。また、隙間６３内のオイルは第三通路８１と透孔７３とを通って内側シリンダ５３の内部６５における前部６５ａ内に流入する。圧縮されていた隙間６３内のフォームアキュムレーター８３は膨張する。
【００４２】
調整ねじ２１を回転させることにより調整ボール７９は透孔７３内で進退し、透孔７３内を通過し得るオイルの量が規制される。即ち、透孔７３内を通過し得るオイルの量が大きくなるように調整ねじ２１を回転させたときには、ピストンロッド１９は動き易くなり、ドア１１の開閉速度は高くなる。透孔７３内を通過し得るオイルの量が小さくなるように調整ねじ２１を回転させたときには、ピストンロッド１９は動き難くなり、ドア１１の開閉速度は低くなる。調整ボール７９が透孔７３を閉塞するように調整ねじ２１を回転させたときには、ピストンロッド１９の動きは阻止され、ドアクローザー１は開閉不能にロックされる。
【図面の簡単な説明】
【００４３】
【図１】本発明によるドアクローザーの一例を示す平面図である。
【図２】同上ドアクローザーの正面図である。
【図３】同上ドアクローザーをドアに取り付けた状態を示す正面図である。
【図４】本発明による別のドアクローザーをドアに取り付けた状態を示す正面図である。
【図５】オイルダンパーの一例を示す断面図である。
【図６】同上オイルダンパーの別の断面図である。
【図７】従来のドアクローザーをドアに取り付けた状態を示す正面図である。
【符号の説明】
【００４４】
１  ドアクローザー本体
１ａ  一端
３  ドア
５  軸
７  リンク
７ａ  一端
７ｂ  他端
９  開口部枠
１１  ドア
１３  開口部枠
１５  ドアクローザー本体
１７  オイルダンパー
１９  ピストンロッド
２１  調整ねじ
２３  回転伝達ケーブル
２３ａ  先端部
２３ｂ  基端部
２５  回転操作部
２７  保持手段
３１  ラック
３３  戻しばね
３５  ピニオン
３７  軸
３９  ワイヤドラム
４１  ワイヤ
４１ａ  先端
４３  取付手段
４５  エンドプレート
５１  ボディシリンダ
５３  内側シリンダ
５５  ピストンヘッド
５７  内側シリンダ端構成部材
５９  復帰用ばね
６１  軸受
６３  隙間
６５  内部
６５ａ  前部
６５ｂ  後部
６７  第一通路
６９  第二通路
７１  チェックボール
７３  透孔
７５  雌ねじ
７７  雄ねじ部
７９  調整ボール
８１  第三通路
８３  フォームアキュムレーター
【図１】
2005320812.tif 000003
【図２】
2005320812.tif 000004
【図３】
2005320812.tif 000005
【図４】
2005320812.tif 000006
【図５】
2005320812.tif 000007
【図６】
2005320812.tif 000008
【図７】
2005320812.tif 000009